(57)【特許請求の範囲】
【請求項１】
空燃比が理論空燃比よりも希薄側の希薄側空燃比になるように燃料噴射を行なう第１燃焼モードと、空燃比が該希薄側空燃比よりも濃化側の濃化側空燃比になるように燃料噴射を行なう第２燃焼モードとを、運転状態に応じて切り換え可能な希薄燃焼エンジンの制御装置において、
スロットル弁を所定の時間周期で駆動するスロットル弁駆動手段と、
運転状態に応じて設定された目標空燃比となるように前記スロットル弁の目標開度を前記所定の時間周期よりも短い時間周期で算出し、該目標開度に応じて前記スロットル弁駆動手段を制御するスロットル弁制御手段と、
少なくとも前記第２燃焼モードから前記第１燃焼モードへのモード切換時にクランク角に同期して空燃比を徐々に切り換えるテーリング処理を行なう空燃比切換手段とをそなえ、
前記スロットル弁制御手段は、前記モード切換時には、前記所定の時間周期に関らず前記空燃比切換手段によるテーリング処理の開始に同期して前記スロットル弁を駆動するように該スロットル弁駆動手段の作動を制御する
ことを特徴とする、希薄燃焼エンジンの制御装置。
【発明の詳細な説明】
【０００１】
【発明の属する技術分野】
本発明は、理論空燃比よりも希薄側の空燃比で燃料噴射を行なう燃焼モードと、理論空燃比空近傍で燃料噴射を行なう燃焼モードとをそなえた希薄燃焼エンジンに用いて好適の、希薄燃焼エンジンの制御装置に関する。
【０００２】
【従来の技術】
近年、自動車用エンジンを始めとして、エンジンへの要求負荷が小さい場合には、空燃比をストイキよりも希薄側にしてエンジンをリーン運転して燃費を向上できるようにする希薄燃焼エンジンが開発されている。特に、筒内に燃料を直接噴射する筒内噴射エンジンの場合、圧縮行程で燃料噴射を行なって適当な濃度の混合気を点火プラグの近傍のみに部分的に集めた層状燃焼が可能であり、この層状燃焼によれば燃料の着火性を確保しながら筒内全体では極めて希薄な空燃比としての運転（超リーン運転）を行なうことができ、燃費のさらなる向上が可能になる。
【０００３】
また、リーン運転（特に、層状燃焼による超リーン運転）の場合、同一のエンジン出力を出すためには、ストイキ運転の場合よりも多量な吸気量が必要となるため、例えばスロットルバルブを迂回するエアバイパスバルブを設けてリーン運転時にはこのエアバイパスバルブを通じて吸気増量制御をしたり、スロットルバルブを電子制御式のもの（ＥＴＶ）としてリーン運転時にはこのＥＴＶを通じて吸気増量制御をしたりする必要がある。
【０００４】
このような希薄燃焼エンジンでは、エンジンの運転状態に応じてエンジンの燃焼モードを制御し、例えばエンジン出力要求が小さい（エンジン負荷が小さい）場合やエンジン回転数が低い場合には、超リーン運転を行なう超リーンモードやリーン運転を行なうリーンモードが選択され、エンジン出力要求（エンジン負荷）が大きいほどまたエンジン回転数が高いほど、空燃比をリッチ側（例えばストイキ）にする燃焼モード（例えばストイキモード等）が選択されるようになっている。
【０００５】
【発明が解決しようとする課題】
ところで、上述のような従来の希薄燃焼エンジンにおけるリーンモードとこれよりもリッチ側の燃焼モード（例えばストイキモード等）とでは空燃比（Ａ／Ｆ）が大きく異なるので、これらのモード間でのモード切換時には、切換ショックを招きやすい。そこで、このようなモード切換時には、目標空燃比（目標Ａ／Ｆ）をテーリングさせて空燃比（Ａ／Ｆ）が緩やかに変化するようにして、切換ショックを防ぐようにしている。
【０００６】
例えば、図６はストイキモードからリーンモード（ここでは、超リーンモード）にモード切換した際のエンジン制御パラメータ及びエンジン運転状態の各変化を示すタイムチャートであり、図６中、実線は第１の例（ケース１）を示し、破線は第２の例（ケース２）を示す。
図６に示すように、Ａ／Ｆ係数［吸気量に対して燃料噴射量（燃料噴射弁駆動時間，インジェクタパルス幅）を設定するための空燃比補正係数（Ａ／Ｆ補正係数）］は、ストイキモードではほぼ１．０、リーンモードでは１．０よりも大幅に小さくなり、ストイキモードからリーンモードにモード切換されると、ほぼ１．０から徐々に減少させるテーリング処理が施される。このテーリング処理は、クランク角センサ信号（ＳＧＴ）に同期してＡ／Ｆ係数を段階的に減少させるように行なう。
【０００７】
電子制御スロットルバルブ（ＥＴＶ）の目標開度（目標ＥＴＶ開度、略して目標ＥＴＶ）は、所定の時間周期で算出され、さらにこの演算周期とは異なる通信周期でＥＴＶコントローラに送られて、ＥＴＶの開度はＥＴＶコントローラを通じて所定の時間周期で調整される。ストイキモードからリーンモードにモード切換されると、これを受けて目標ＥＴＶがモード切換の直後の演算周期でステップ状に増大される。一方、ＥＴＶの実開度（実ＥＴＶ開度、略して実ＥＴＶ）は目標ＥＴＶの切換に対して即座に開度変化するのではなく、応答遅れをもってしかも微小時間ではあるが時間をかけて増大する。実ＥＴＶが増大すれば体積効率Ｅｖも増大するが、この体積効率Ｅｖも実ＥＴＶの増大に対して、応答遅れをもってしかも実ＥＴＶよりも緩慢に増大する。
【０００８】
燃料噴射量に対応するインジェクタパルス幅（ＩＮＪパルス幅）Ｐｗは、ＳＧＴ立ち下がりタイミングで算出される。このＩＮＪパルス幅Ｐｗは、吸気量に応じたパラメータ（体積効率Ｅｖ）にＡ／Ｆ係数を乗算して算出するので、Ａ／Ｆ係数が小さくなればＩＮＪパルス幅Ｐｗは減少し、体積効率Ｅｖが増大すればＩＮＪパルス幅Ｐｗも増大する。ストイキモードからリーンモードへの切換時において、Ａ／Ｆ係数の減少と体積効率Ｅｖの増大とが適切なタイミングで行なわれれば、ＩＮＪパルス幅Ｐｗは緩やかに変化する。
【０００９】
しかし、通常、モード切換判定が所定の周期のタイマ割り込みで行なわれるのに対して、Ａ／Ｆ係数のテーリング開始はＳＧＴに同期して行なわれ、目標ＥＴＶの変更は所定の周期のタイマ割り込みの指令に基づいて行なわれる。
したがって、図６に実線で示すケース１のように、モード切換判定の時点ｔ１とその直後のＳＧＴ立ち上がりタイミングｔ２とが接近していると、モード切換判定のタイミング（時点ｔ１）の直後にＳＧＴ立ち上がりタイミング（時点ｔ２）が来てＡ／Ｆ係数のテーリングが開始されるが、目標ＥＴＶの変更はその後の所定周期のタイマ割り込みのタイミング（時点ｔ３）で行なわれるという場合が生じる。このような場合には、Ａ／Ｆ係数のテーリング開始に対して目標ＥＴＶの変更が遅すぎて、Ａ／Ｆ係数が減少する割りに体積効率Ｅｖが増加しない状況が一時的に発生し、この間は、ＩＮＪパルス幅Ｐｗが一時期ステップ状に減少する（Ｐｗ１参照）などして、ＩＮＪパルス幅Ｐｗの減少傾向が顕著になり、エンジンの出力トルクの一時期減少を招く。
【００１０】
また、図６に破線で示すケース２のように、モード切換判定の時点ｔ１とその直後のＳＧＴ立ち上がりタイミングｔ２′とが離隔していると、モード切換判定のタイミング（時点ｔ１）からやや時間を経てＳＧＴ立ち上がりタイミング（時点ｔ２′）が来て、この時点ｔ２′でＡ／Ｆ係数のテーリングが開始され、目標ＥＴＶの変更はこの時点ｔ２′に近い時点ｔ３で行なわれるという場合が生じる。このような場合には、Ａ／Ｆ係数のテーリング開始に対して目標ＥＴＶの変更が早すぎて、Ａ／Ｆ係数の減少を上回るように体積効率Ｅｖが増加してしまう状況が一時的に発生し、この間は、ＩＮＪパルス幅が一時期ステップ状に増大する（Ｐｗ２照）などして、ＩＮＪパルス幅Ｐｗの増加傾向が顕著になり、エンジンの出力トルクの一時期増加を招く。
【００１１】
このように、▲１▼Ａ／Ｆ係数のテーリング制御はＳＧＴに同期して（例えばＳＧＴ立ち上がり割り込みで）行なわれるのに対して、モード切換判定は所定周期のタイマ割り込みで行なわれるため、１行程内でのモード切換判定のタイミングがばらつくこと、及び、▲２▼目標ＥＴＶの設定がモード切換判定を受けてから所定周期のタイマで行なわれ、さらに所定周期の通信による信号の授受の後にＥＴＶ制御が行なわれるために、ＥＴＶの開くタイミングがばらつくこと、が生じて、これらに起因して燃料制御の大きなばらつきを招く。この結果、エンジン出力トルクが急変動して、エンジンの運転フィーリングを損なうという課題や、自動車用エンジンにあっては走行フィーリングを損なうという課題が生じる。
【００１２】
本発明は、上述の課題に鑑み創案されたもので、空燃比を濃化側空燃比とする燃焼モードから希薄側空燃比とする燃焼モードへの切換時に、空燃比を徐々に切り換えるように制御する場合に、燃料制御のばらつきを抑制して、エンジン出力トルクの急変動を防止することができるようにした、希薄燃焼エンジンの制御装置を提供することを目的とする。
【００１３】
【課題を解決するための手段】
このため、本発明の希薄燃焼エンジンの制御装置では、第１燃焼モードと第２燃焼モードとを運転状態に応じて切り換えることができ、第１燃焼モードでは、空燃比が理論空燃比よりも希薄側の希薄側空燃比になるように燃料噴射を行ない、第２燃焼モードでは、空燃比が該希薄側空燃比よりも濃化側の濃化側空燃比になるように燃料噴射を行なう。このとき、スロットル弁駆動手段は、空燃比が運転状態に応じて設定された目標空燃比となるようにスロットル弁を所定の時間周期で駆動する。このとき、スロットル弁制御手段は、運転状態に応じて設定された目標空燃比となるようにスロットル弁の目標開度を前記所定の時間周期よりも短い時間周期で算出し、該目標開度に応じてスロットル弁駆動手段を制御する。そして、前記第２燃焼モードから前記第１燃焼モードへの切換時には、空燃比切換手段は空燃比を徐々に切り換えるテーリング処理を行なうが、このときには、スロットル弁制御手段が、前記所定の時間周期に関らずに空燃比切換手段によるテーリング処理の開始に同期してスロットル弁を駆動するようにスロットル弁駆動手段の作動を制御する。
したがって、スロットル弁の制御を空燃比切換と対応させて行なうことができ、燃料制御のばらつきを抑制して、エンジン出力トルクの急変動を防止することができるようになる。
【００１４】
【発明の実施の形態】
以下、図面により、本発明の実施の形態について説明すると、図１〜図５は本発明の一実施形態としての希薄燃焼エンジンの制御装置を示すものである。
まず、本実施形態にかかる希薄燃焼エンジンについて説明すると、この希薄燃焼エンジンは、例えば自動車に搭載される筒内噴射エンジン（以下、直噴ガソリンエンジン又は単にエンジンともいう）であって、自動車に搭載され、図２に示すように構成されている。
【００１５】
つまり、図２に示すように、エンジン１のシリンダヘッド２には、各シリンダ３毎に点火プラグ４と燃焼室５内に直接開口する燃料噴射弁６とが設けられている。シリンダ３内には、クランクシャフト７に連結されたピストン８が装備され、このピストン８の頂面には半球状に窪んだキャビティ９が形成されている。
シリンダヘッド２には、吸気弁１０を介して燃焼室５と連通しうる吸気通路１１、及び、排気弁１２を介して燃焼室５と連通しうる排気通路１３が接続されている。図示しないが、吸気ポートは燃焼室５上方に略鉛直に配設され、ピストン８の頂面のキャビティ９と協働して燃焼室５内で吸気による逆タンブル流を形成させるようになっている。
【００１６】
また、シリンダ３外周のウォータジャケット１５には冷却水温を検出する水温センサ１６が設けられ、クランクシャフト７には所定のクランク角位置で信号を出力するクランク角センサ１７が、吸気弁１０，排気弁１２を駆動するカムシャフト（図示略）にはカムシャフト位置に応じた気筒識別信号を出力する気筒識別センサ（図示略）が、それぞれ付設されている。クランク角信号に基づいてエンジン回転速度を算出できるので、クランク角センサ１７はエンジン回転速度検出手段としても機能する。
【００１７】
吸気通路１１には、上流側からエアクリーナ２１，吸気管２２，スロットルボディ２３，サージタンク２４，吸気マニホールド２５の順に構成され、吸気マニホールド２５の下流端部に吸気ポート（図示略）が設けられている。スロットルボディ２３には、燃焼室５内へ流入する空気量を調整する電子制御式スロットル弁（ＥＴＶ）３０がそなえられている。このＥＴＶ３０は、スロットル弁アクチュエータ（スロットル弁駆動手段）３０ａによってスロットル弁３０ｂを電子制御するもので、このＥＴＶ３０の開度制御は、ＥＴＶコントローラ３０ｃを通じて行なわれ、アクセル開度に応じた制御のみならず、アイドルスピード制御や、後述するリーン運転時の大量吸気導入の制御も行なえるようになっている。
【００１８】
さらに、エアクリーナ２１の直ぐ下流部分には吸入空気流量を検出するエアフローセンサ３７が、スロットルボディ２３にはＥＴＶ３０のスロットル開度を検出するスロットルポジションセンサ３８とＥＴＶ３０の全閉を検出してアイドル信号を出力するアイドルスイッチ３９とがそれぞれ設けられている。
排気系は、上流側から排気ポート１３を有する排気マニホールド２６，排気管２７の順に構成され、排気管２７には排ガス浄化用の三元触媒２９が介装され、排気マニホールド２６には、Ｏ2センサ４０が設けられている。
【００１９】
さらに、アクセルペダルの踏込量（アクセルポジション）θapを検出するアクセルポジションセンサ（以下、ＡＰＳという）４２が設けられている。
なお、燃料供給系については図示しないが、圧力が所定の高圧力〔数十気圧（例えば２〜７ＭＰａ）程度〕に調整された燃料が燃料噴射弁６に導かれ、燃料噴射弁６から高圧燃料が噴射されるようになっている。
【００２０】
そして、点火プラグ４，燃料噴射弁６，ＥＴＶ３０といった各エンジン制御要素の作動を制御するために、内燃機関の制御手段としての機能を有する電子制御ユニット（ＥＣＵ）６０がそなえられている。このＥＣＵ６０には、入出力装置，制御プログラムや制御マップ等の記憶を行なう記憶装置，中央処理装置，タイマやカウンタ等がそなえられており、前述の種々のセンサ類からの検出情報やキースイッチの位置情報等に基づいて、このＥＣＵ６０が、上述の各エンジン制御要素の制御を行なうようになっている。
【００２１】
特に、本エンジンは、筒内噴射エンジンであり、燃料噴射を自由なタイミングで実施でき、吸気行程を中心とした燃料噴射によって均一混合させ均一燃焼を行なうほか、圧縮行程を中心とした燃料噴射によって前述の逆タンブル流を利用して層状燃焼を行なうことができる。本エンジンの運転モードとしては、Ｏ2センサ４０の検出情報に基づいたフィードバック制御により空燃比を理論空燃比近傍に保持するストイキモード（第２燃焼モード）と、空燃比を理論空燃比よりもリッチにするエンリッチモード（第２燃焼モード）と、空燃比を理論空燃比よりも大幅にリーンにして上記の層状燃焼を用いて超希薄燃焼（超リーン運転）させる超リーンモード（第１燃焼モード）とが設けられている。
【００２２】
超リーンモード（第１燃焼モード）では、圧縮行程で燃料噴射を行なって、前記の逆タンブル流，ピストン８の頂面のキャビティ９を利用して、噴射燃料を点火プラグ４の近傍のみに部分的に集めるとともにこれ以外の部分は主として空気のみの状態とする層状燃焼を行ない、燃料の着火性を確保しながら筒内全体では極めて希薄な空燃比として、燃費向上を図っている。
【００２３】
ＥＣＵ６０では、予め設定されたマップに基づいて、エンジン回転速度（以下、エンジン回転数という）Ｎｅ及びエンジン負荷状態を示す平均有効圧Ｐｅの目標値（目標Ｐｅ）に応じていずれかの運転モードを選択するようになっており、エンジン回転数Ｎｅが小さく目標Ｐｅも小さい状態では層状燃焼による超リーン運転モード（圧縮リーン運転モード）を選択し、エンジン回転数Ｎｅや目標Ｐｅが増加していくと、ストイキ，エンリッチの順に運転モードを選択していく。
【００２４】
なお、エンジン回転数Ｎｅはクランク角センサ１７の出力信号から算出され、目標Ｐｅは、このエンジン回転数Ｎｅと、ＡＰＳ４２で検出されたアクセルポジション（又は、スロットルポジションセンサ３８で検出されたスロットル開度θth）とから算出される。
ここで、このようなエンジン制御を行なう本実施形態の希薄燃焼エンジンの制御装置について、図１を参照して説明する。
【００２５】
図１に示すように、ＥＣＵ６０には、上述のように、エンジン運転状態から燃焼モード（運転モード）を設定する燃焼モード設定手段６１と、燃焼モード設定手段６１の設定及びエンジン運転状態（Ｎｅ，Ｐｅ等）に基づいて目標空燃比を設定する空燃比設定手段６２と、燃焼モード設定手段６１及び空燃比設定手段６２の各設定ならびにエンジン運転状態（Ｎｅ，Ｐｅ等）に基づいて燃料噴射弁６，ＥＴＶ３０の作動を制御する燃料噴射弁制御手段６３，ＥＴＶ制御手段６４といった各機能要素が備えられている。もちろん、これ以外に、点火プラグ４を制御する点火プラグ制御手段など他の種々のエンジン制御要素を制御する機能も備えている。
【００２６】
燃焼モード設定手段６１では、上述のように、エンジン運転状態、つまり、エンジン回転数Ｎｅ及び目標Ｐｅに応じて上記のいずれかの燃焼モード（運転モード）を選択するが、この燃焼モードの設定（モード切換判定）は所定の周期のタイマ割り込みで行なわれる。なお、エンジン回転数Ｎｅはエンジン回転数算出部６４によりクランク角センサ１７の出力信号から算出され、目標Ｐｅはこのエンジン回転数ＮｅとＡＰＳ４２で検出されたアクセルポジション（又はスロットルポジションセンサ３８で検出されたスロットル開度θth）とから目標Ｐｅ算出部６５によって算出される。
【００２７】
また、空燃比設定手段６２は、燃焼モード設定手段６１により設定された燃焼モード、及び、エンジン運転状態（エンジン回転数Ｎｅ及び目標Ｐｅ）に応じて、目標空燃比を設定する。特に、燃焼モードが切り換えられると目標空燃比が大きく切り換えられるために、空燃比設定手段６２には空燃比切換手段６２Ａとしての機能がそなえられる。この空燃比切換手段６２Ａでは、第２燃焼モード（例えばストイキモード）から第１燃焼モード（超リーンモード）への切換時に空燃比を徐々に切り換えるようにする、いわゆるテーリング処理を行なうようになっている。これについての詳細は後述する。なお、目標空燃比の設定や目標空燃比のテーリング処理は、クランク軸角度に応じて、具体的にはクランク角センサ１７で検出された信号（ＳＧＴ）に同期して（例えばＳＧＴの立ち上がりタイミング毎に）行なわれる。
【００２８】
燃料噴射弁制御手段６３では、空燃比設定手段６２により設定された目標空燃比（ただし、テーリング処理時には、テーリング処理用の目標空燃比）から、Ａ／Ｆ係数［吸気量に対して燃料噴射量（燃料噴射弁駆動時間，インジェクタパルス幅）を設定するための空燃比係数］を設定し、このＡ／Ｆ係数と実吸気量Ｑとから目標燃料噴射量（インジェクタパルス幅）を設定し、燃焼モード設定手段６１により設定された燃焼モード、及び、エンジン運転状態（エンジン回転数Ｎｅ,目標Ｐｅ及び吸気量Ｑ等）に応じて、燃料噴射タイミングを設定する。この設定は、燃料噴射弁の開弁時期と閉弁時期をクランク角対応で設定することになり、これに基づいて、燃料噴射弁６を制御する。なお、このインジェクタパルス幅及び燃料噴射タイミングの設定は、クランク軸角度に応じて、具体的にはクランク角センサ１７で検出された信号（ＳＧＴ）に同期して（例えばＳＧＴの立ち上がりタイミング毎に）行なわれる。また、吸気量Ｑはエアフローセンサ３７の検出情報に基づいて吸気量算出部６６によって算出される。
【００２９】
ＥＴＶ制御手段６４では、燃焼モード設定手段６１により設定された燃焼モード、空燃比設定手段６２により設定された目標空燃比（ここでは、テーリング処理は無視する）、検出された実吸気量Ｑ、及び、エンジン運転状態（エンジン回転数Ｎｅ,目標Ｐｅ及び吸気量Ｑ等）に応じて、電子制御スロットルバルブ（ＥＴＶ）３０の目標開度（目標ＥＴＶ開度、略して目標ＥＴＶ）を設定して、この設定した目標ＥＴＶ情報が通信によってＥＴＶコントローラ３０ｃに送られて、ＥＴＶコントローラ３０ｃでは、これに基づいてＥＴＶ３０のスロットル弁アクチュエータ（スロットル弁駆動手段）３０ａを制御する。
【００３０】
なお、この設定した目標ＥＴＶ情報の通信及び受信情報に基づいたＥＴＶコントローラ３０ｃによるスロットル弁アクチュエータ３０ａの制御は、通常は所定の周期（時間周期）で行なわれるが、本装置では、第２燃焼モード（例えばストイキモード）から第１燃焼モード（超リーンモード）への切換時に行なう空燃比のテーリング処理時には、これらの目標ＥＴＶ情報の通信，スロットル弁アクチュエータ３０ａの制御について、テーリング処理の開始タイミングに同期させて実行するようにしている。
【００３１】
このため、ＥＴＶ制御手段６４では、絶えず（極めて短い周期で）各燃焼モードの目標ＥＴＶを算出しておくようになっている。なお、目標ＥＴＶの算出を極めて短い時間で行なえれば、第２燃焼モード（例えばストイキモード）から第１燃焼モード（超リーンモード）への切換判定があったら所定の周期（時間周期）に関わらずこの時点で算出される第１燃焼モードの目標ＥＴＶを用いてＥＴＶを制御し、その他の場合（テーリング処理時以外）は、通常時の目標ＥＴＶ情報の通信，スロットル弁アクチュエータ３０ａの制御と同様に、所定の周期（時間周期）で、その時点で算出される目標ＥＴＶを用いてＥＴＶを制御することができる。
【００３２】
ここで、上記のテーリング処理について説明すると、空燃比切換手段６２Ａでは、燃焼モードの切換に応じて空燃比設定手段６２で目標空燃比がＡＦ１からＡＦ２へと大きく切り換えられる（この場合、急減される）と、切換直前の目標空燃比ＡＦ１を制御周期当たり微小量（Ａ／Ｆテーリングゲイン）δAFずつ減少させながら、切換先の目標空燃比ＡＦ２に到達させるようにしている。この場合の制御周期は、クランク軸角度に応じたもので、例えばクランク角センサ１７で検出された信号（ＳＧＴ）の立ち上がりタイミング毎に、前回の周期の目標空燃比ＡＦ（ｎ−１）から微小量δAFを減じてテーリング用の目標空燃比ＡＦ（ｎ）［＝ＡＦ（ｎ−１）−δAF］を設定し、空燃比を漸減させるようにしている。
【００３３】
目標空燃比ＡＦに応じたＡ／Ｆ補正係数ＣAFに着目すれば、目標空燃比ＡＦに応じたＡ／Ｆ補正係数ＣAFがＣAF［Ｓ］からＣAF［Ｌ］へと大きく切り換えられると、前回の周期のＡ／Ｆ補正係数ＣAF（ｎ−１）から微小量δCAFを減じてテーリング用の目標空燃比ＣAF（ｎ）［＝ＣAF（ｎ−１）−δCAF］を設定する。
つまり、図５に示すように、時点ｔ01で燃焼モードが第２燃焼モード（ストイキモード）から第１燃焼モード（超リーンモード）に切り換わると、図５に実線で示すように、この直後のＳＧＴの立ち上がりタイミング（時点ｔ02）でテーリング処理を考慮した目標空燃比ＡＦ（ｎ）が設定され、この目標空燃比ＡＦ（ｎ）からＡ／Ｆ係数が設定され、このテーリング処理の開始（テーリング処理用目標空燃比ＡＦ（ｎ），目標空燃比ＡＦ（ｎ）の設定及びこの設定に基づく制御の開始）に同期するようにして、目標ＥＴＶが設定され、さらにこの目標ＥＴＶ情報が通信によってＥＴＶコントローラに送られて、ＥＴＶの開度調整（スロットル弁アクチュエータ３０ａの制御）が行なわれるようになっている。
【００３４】
なお、テーリング用の目標空燃比ＡＦが本来の目標空燃比（燃焼モード切換時に設定した目標空燃比）ＡＦ２に達したら、換言すると、テーリング用のＡ／Ｆ補正係数ＣAF（ｎ）が本来のＡ／Ｆ補正係数（燃焼モード切換時に設定したＡ／Ｆ補正係数）ＣAF［Ｓ］に達したら、目標空燃比やＡ／Ｆ係数のテーリング処理を終了するようにしている。
【００３５】
本発明の一実施形態としての希薄燃焼エンジンの制御装置は、上述のように構成されているので、エンジン運転中には、例えば図３，図４に示すように、目標ＥＴＶの制御が行なわれる。
つまり、図３に示すように、所定の時間周期で処理されるメインルーチンにおいて燃焼モードの設定（切換）や通常時の目標ＥＴＶの制御が行なわれ、図４に示すように、ＳＧＴ立ち上がり割り込みルーチンにおいて空燃比のテーリング処理時における目標ＥＴＶの制御が行なわれる。
【００３６】
なお、図３，図４において、リーンモードフラッグは、運転モードとしてリーンモードが選択されたかを示すものであり、リーンモードフラッグがセットされると第１燃焼モード（リーン運転）が選択され、リーンモードフラッグがリセットされると第２燃焼モード（ストイキモード又はエンリッチモード）が選択される。また、リーンＥＴＶ開度変更フラッグは、リーンモード選択時に、テーリング処理の開始タイミングに同期させてＥＴＶ開度変更を実行したか否かを示すものであり、リーンモード選択時に、テーリング処理の開始タイミングに同期させてＥＴＶ開度変更を実行した場合に、リーンＥＴＶ開度変更フラッグがセットされ、リーンモード選択時に、テーリング処理の開始タイミングに同期させてＥＴＶ開度変更を実行していない場合及びリーンモード以外の燃焼モード［第２燃焼モード（ストイキモード又はエンリッチモード）］を選択した場合に、リーンＥＴＶ開度変更フラッグがリセットされる。
【００３７】
メインルーチンでは、図３に示すように、まず、エンジン回転数Ｎｅ，エンジン負荷Ｐｅから各燃焼モードに応じて目標ＥＴＶ開度（目標ＥＴＶ）が求められる（ステップＡ１０）。そして、エンジン回転数Ｎｅ，エンジン負荷Ｐｅ，エンジンの冷却水温等の現在のエンジン運転状態情報を取り込み（ステップＡ２０）、現在のエンジン運転状態で第１燃焼モード［リーン運転（例えば超リーン運転）］が可能か否かを判定する（ステップＡ３０）。
【００３８】
ここで、リーン運転が可能でなければ、第２燃焼モード（ストイキモード又はエンリッチモード）を選択することになり、リーンモードフラッグをリセット状態として（ステップＡ４０）、リーンＥＴＶ開度変更フラッグをリセット状態として（ステップＡ５０）、ストイキモード又はエンリッチモードに応じた目標ＥＴＶ開度を設定しこれをＥＴＶコントローラ３０ａへ送信する（ステップＡ６０）。
【００３９】
一方、リーン運転が可能であれば、第１燃焼モード［リーン運転（例えば超リーン運転）］を選択することになり、リーンモードフラッグをセット状態として（ステップＡ７０）、リーンＥＴＶ開度変更フラッグがセット状態であるかを判定する（ステップＡ８０）。リーンＥＴＶ開度変更フラッグがセット状態でなければ、ステップＡ６０に進み、第１燃焼モードではなくモード切換前の第２燃焼モード（ストイキモード又はエンリッチモード）に応じた目標ＥＴＶ開度を設定しこれをＥＴＶコントローラ３０ａへ送信する。
【００４０】
リーンＥＴＶ開度変更フラッグがセット状態であれば、ステップＡ８０からステップＡ９０に進み、モード切換後の第１燃焼モード［リーン運転（例えば超リーン運転）］に応じた目標ＥＴＶ開度（リーン目標ＥＴＶ開度）を設定しこれをＥＴＶコントローラ３０ａへ送信する。
このような所定周期で行なわれるメインルーチン（図３）とは独立して、図４に示すＳＧＴ立ち上がり割り込みルーチンが実施される。
【００４１】
このＳＧＴ立ち上がり割り込みルーチンでは、図４に示すように、リーンモードフラッグがセットされているかを判定して（ステップＢ１０）、リーンモードフラッグがセットされていれば、ステップＢ２０に進んで、リーンＥＴＶ開度変更フラッグがリセット状態であるかを判定する。リーンＥＴＶ開度変更フラッグがリセット状態であれば、ステップＢ２０からステップＢ３０に進み、モード切換後の第１燃焼モード［リーン運転（例えば超リーン運転）］に応じた目標ＥＴＶ開度（リーン目標ＥＴＶ開度）を設定しこれをＥＴＶコントローラ３０ａへ送信する。さらに、ステップＢ４０に進んで、リーンＥＴＶ開度変更フラッグをセットする。
【００４２】
したがって、第２燃焼モード（リーンモードストイキ又はエンリッチモード）から第１燃焼モード［リーンモード（特に、超リーンモード）］への燃焼モード（Ａ／Ｆモード）の切換があった場合に、図４のＳＧＴ立ち上がり割り込みルーチンのステップＢ４０でリーンＥＴＶ開度変更フラッグがセットされなければ、図３のメインルーチンのステップＡ９０（超リーン運転等のリーン運転に応じたＥＴＶ制御）は行なわれず、第２燃焼モードから第１燃焼モードへの燃焼モードの切換判定直後には、ＳＧＴ立ち上がり割り込みルーチンのステップＢ３０で始めて超リーン運転等のリーン運転（第１燃焼モード）に応じたＥＴＶ制御が実施される。
【００４３】
この第２燃焼モードから第１燃焼モードへの燃焼モードの切換判定直後のＳＧＴ立ち上がり割り込みでは、Ａ／Ｆテーリング処理が開始されるので、第２燃焼モードから第１燃焼モードへの燃焼モードの切換に応じたＥＴＶ３０の制御、すなわち、燃焼モードの切換に応じて増加された目標ＥＴＶ開度（リーン目標ＥＴＶ開度）をＥＴＶコントローラ３０ａへ送信し、ＥＴＶコントローラ３０ａにより、ＥＴＶ３０の開度を増加させる制御は、Ａ／Ｆテーリング処理の開始に同期して行なわれることになる。
【００４４】
このようにして、本実施形態にかかる希薄燃焼エンジンの制御装置によれば、ストイキモード又はエンリッチモード（第２燃焼モード）からリーンモード（第１燃焼モード）への切換時には、図５に示すように、Ａ／Ｆテーリング処理の開始に同期させて燃焼モードに応じたＥＴＶ３０の開作動を行なうので、Ａ／Ｆテーリング処理の開始とＥＴＶ３０の開作動指令とが同期することになり、燃料噴射量（インジェクタパルス幅）のばらつきが低減されて、燃料制御のばらつきによるエンジン出力トルクの急変動が防止され、エンジンの運転フィーリングが良好なものになり、自動車用エンジンにあっては走行フィーリングを良好なものにできる。
【００４５】
図５において、実ＥＴＶ開度（実ＥＴＶ），体積効率Ｅｖ，インジェクタパルス幅Ｐｗについては実線と破線とにより示すが、これは、この実施形態でも、実ＥＴＶと体積効率Ｅｖとインジェクタパルス幅Ｐｗとに僅かながらばらつきが生じることを示すもので、このばらつきは、ＥＴＶ３０の制御に通信を用いており、この通信の処理（ＥＴＶ通信処理）のばらつきに起因して実ＥＴＶにばらつきが生じ、この実ＥＴＶのばらつきによって体積効率Ｅｖ，インジェクタパルス幅Ｐｗにばらつきが生じるのである。この場合のばらつきは僅かであり、従来技術に比べるとこのばらつきは大幅に低減されている。もちろん、ＥＴＶ通信処理のばらつきを低減すれば、インジェクタパルス幅Ｐｗのばらつきも一層低減されることになる。
【００４６】
なお、上述のようなＡ／Ｆテーリング処理にかかる制御は、ストイキ又はエンリッチからリーンへのモード切換であり、このようなモード切換はエンジンが定常運転になって行なわれるので、加速時（リーンからリッチ）のようにエンジン状態の変動の大きいモード切換に比べて、制御を安定して行なうのが容易であり、信頼性の高い制御を実現することができる。
【００４７】
また、上述の実施形態は一例であって、本発明はかかる実施形態に限定されるものではなく、本発明の趣旨を逸脱しない範囲で、上述の実施形態を種々変形して実施することができる。
例えば、第１燃焼モードは、圧縮行程噴射による超リーンモードに限らず、吸気行程噴射によるリーンモードとしてもよい。
したがって、本制御装置は、筒内噴射エンジンに好適であるが、他の希薄燃焼エンジンに適用することも考えられる。
【００４８】
【発明の効果】
以上詳述したように、本発明の希薄燃焼エンジンの制御装置によれば、第２燃焼モードから第１燃焼モードへの切換時には、空燃比切換手段は空燃比を徐々に切り換えるテーリング処理を行なうようにするが、この空燃比切換手段によるテーリング処理の開始に同期してスロットル弁が駆動される。したがって、空燃比切換とスロットル弁の制御とを対応させて行なうことができ、燃料制御のばらつきを抑制して、エンジン出力トルクの急変動を防止することができるようになって、エンジンの運転フィーリングを向上させることのできる利点や、自動車用エンジンにあっては走行フィーリングを向上させることのできる利点がえられる。
【図面の簡単な説明】
【図１】本発明の一実施形態としての希薄燃焼エンジンの制御装置を示す制御ブロック図である。
【図２】本発明の一実施形態にかかる希薄燃焼エンジンを示す模式的な構成図である。
【図３】本発明の一実施形態としての希薄燃焼エンジンの制御装置にかかる制御内容を示すフローチャートである。
【図４】本発明の一実施形態としての希薄燃焼エンジンの制御装置にかかる制御内容を示すフローチャートである。
【図５】本発明の一実施形態としての希薄燃焼エンジンの制御装置にかかるエンジン制御の具体例を示すタイムチャートであり、（ａ）は空燃比係数（Ａ／Ｆ係数）を、（ｂ）はＥＴＶの目標開度（目標ＥＴＶ）を、（ｃ）はＥＴＶの実開度（実ＥＴＶ）を、（ｄ）は体積効率Ｅｖを、（ｅ）はインジェクタパルス幅（Ｐｗ）を、（ｆ）はクランク角センサ信号（ＳＧＴ）を、それぞれ示す。
【図６】従来の希薄燃焼エンジンの制御における課題を説明するタイムチャートであり、（ａ）は空燃比係数を、（ｂ）はＥＴＶの目標開度を、（ｃ）はＥＴＶの実開度を、（ｄ）は体積効率を、（ｅ）はインジェクタパルス幅を、（ｆ）はクランク角センサ信号を、それぞれ示す。
【符号の説明】
１  エンジン
１７  エンジン運転状態検出手段としてのクランク角センサ（エンジン回転速度検出手段）
３０  電子制御スロットルバルブ（ＥＴＶ）
３０ａ  スロットル弁アクチュエータ（スロットル弁駆動手段）
３７  エンジン運転状態検出手段としてのエアフローセンサ
３８  エンジン運転状態検出手段としてのスロットルポジションセンサ
６０  ＥＣＵ
６１  燃焼モード設定手段
６２  空燃比設定手段
６２Ａ  空燃比切換手段
６３  燃料噴射弁制御手段
６４  ＥＴＶ制御手段
【図１】
0004269503.tif 000002
【図２】
0004269503.tif 000003
【図３】
0004269503.tif 000004
【図４】
0004269503.tif 000005
【図５】
0004269503.tif 000006
【図６】
0004269503.tif 000007